【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
左右方向に延びる機器本体と、
前記機器本体の上方に設けられた把持部と、を備え、
前記機器本体は、
前記機器本体の前方から視認可能な前面部と、前記機器本体の左方から視認可能な左側面部と、前記機器本体の右方から視認可能な右側面部と、を有し、前記左右方向に延びるハウジングと、
前記ハウジング内に収容され映像信号及び音声信号を出力可能なコントローラと、
前記前面部に位置し、前記機器本体の前記前方から視認可能であり、前記コントローラから出力される前記映像信号に基づいた映像を表示可能なディスプレイと、
前記コントローラから出力される前記音声信号に基づいた音声を出力可能な第１スピーカ及び第２スピーカと、を有し、
前記第１スピーカは、前記左側面部に前記左方を向くように設けられ、
前記第２スピーカは、前記右側面部に前記右方を向くように設けられ、
前記ディスプレイの後方であって、前記第１スピーカと前記第２スピーカとの間には、電源として使用可能な電池パックを収容可能な収容部が設けられ、
前記電池パックは、電動工具の電源として用いることが可能であることを特徴とするテレビ。
【請求項２】
前記収容部は、前記電池パックを収容した状態で、前記コントローラを遠隔操作可能な遠隔操作装置をさらに収容可能であることを特徴とする請求項１に記載のテレビ。
【請求項３】
左右方向に延びる機器本体と、
前記機器本体の上方に設けられた把持部と、を備え、
前記機器本体は、
前記機器本体の前方から視認可能な前面部と、前記機器本体の左方から視認可能な左側面部と、前記機器本体の右方から視認可能な右側面部と、を有し、前記左右方向に延びるハウジングと、
前記ハウジング内に収容され、映像信号及び音声信号を出力可能なコントローラと、
前記前面部に支持されるとともに前記機器本体の前記前方から視認可能であり、前記コントローラから出力される前記映像信号に基づいた映像を表示可能なディスプレイと、
前記コントローラから出力される前記音声信号に基づいた音声を出力可能な第１スピーカ及び第２スピーカと、を有し、
前記第１スピーカは、前記左側面部に前記左方を向くように設けられ、
前記第２スピーカは、前記右側面部に前記右方を向くように設けられ、
前記ディスプレイの後方であって、前記第１スピーカと前記第２スピーカとの間には、電源として使用可能な電池パックを収容可能な収容部が設けられ、
前記収容部は、前記電池パックを収容した状態で、前記コントローラを遠隔操作可能な遠隔操作装置をさらに収容可能であり、
前記電池パックは、電動工具の電源として用いることが可能であることを特徴とするテレビ。
【請求項４】
前記ディスプレイの画面サイズは、６乃至１２インチであり、
前記第１スピーカ及び前記第２スピーカのそれぞれの最大入力は、５乃至２０Ｗ、又は、最大出力音圧は、５０乃至１２０ｄｂであることを特徴とする請求項１〜３のいずれか１項に記載のテレビ。
【請求項５】
前記第１スピーカは前記音声を左方向に出力するように配置され、前記第２スピーカは前記音声を右方向に出力するように配置されていることを特徴とする請求項１〜４のいずれか１項に記載のテレビ。
【請求項６】
前記ハウジングは、
開口が形成され前記前面部の後方に位置する後面部をさらに有し、
前記機器本体は、
前記後面部に設けられるとともに前記開口を閉じる閉姿勢と前記開口を開放する開姿勢との間で開閉可能な開口カバーと、を有し、
前記収容部は、前記開口が開放されている場合に前記開口を介して前記ハウジングの外部に露出されることを特徴とする請求項１〜５のいずれか１項に記載のテレビ。
【請求項７】
前記収容部は、前記電池パックを収容した状態で前記電池パックと電気的に接続可能な電源接続部を有し、
前記コントローラは、前記電源接続部と電気的に接続されていることを特徴とする請求項６に記載のテレビ。
【請求項８】
前記機器本体は、外部機器と接続可能な外部接続端子をさらに有することを特徴とする請求項１〜７のいずれか１項に記載のテレビ。
【請求項９】
前記機器本体は、
前記外部接続端子を覆う閉姿勢と前記外部接続端子を露出させる開姿勢との間で開閉可能な端子カバーと、
前記端子カバーが前記閉姿勢に向けて姿勢変化するように前記端子カバーを付勢する付勢部材と、をさらに有することを特徴とする請求項８に記載のテレビ。
【請求項１０】
前記端子カバーと前記機器本体との間にはシール部材が設けられていることを特徴とする請求項９に記載のテレビ。
【請求項１１】
前記機器本体は、前記前面部における前記ディスプレイの上方に設けられ手動操作を受け付ける操作部をさらに有することを特徴とする請求項１〜１０のいずれか１項に記載のテレビ。
【請求項１２】
前記コントローラは、ラジオ放送波を受信可能なラジオ放送受信回路と、テレビ放送波を受信可能なテレビ放送受信回路と、を有することを特徴とする請求項１〜１１のいずれか１項に記載のテレビ。
【請求項１３】
前記コントローラは、選局されたラジオ放送局のラジオ放送に応じた音声信号を出力可能、且つ、選局されたテレビ放送局のテレビ放送に応じた映像信号及び音声信号を出力可能に構成されていることを特徴とする請求項１２に記載のテレビ。
【請求項１４】
前記コントローラは、前記選局されたラジオ放送局の周波数を示す画面を前記ディスプレイに表示させることが可能に構成されていることを特徴とする請求項１３に記載のテレビ。
【手続補正２】
【補正対象書類名】明細書
【補正対象項目名】００５１
【補正方法】変更
【補正の内容】
【００５１】
このような構成によると、端子カバーの隙間を塞ぐことができるため、外部接続端子に水や埃等の異物が侵入することを抑制することができる。これにより、当該水や埃等の侵入に起因する外部接続端子と外部機器との接続不良を抑制することができ、建築現場等での使用に適した電気機器を提供することができる。
上記課題を解決するために、本発明はさらに、左右方向に延びる機器本体と、前記機器本体の上方に設けられた把持部と、を備え、前記機器本体は、前記機器本体の前方から視認可能な前面部と、前記機器本体の左方から視認可能な左側面部と、前記機器本体の右方から視認可能な右側面部と、を有し、前記左右方向に延びるハウジングと、前記ハウジング内に収容され映像信号及び音声信号を出力可能なコントローラと、前記前面部に位置し、前記機器本体の前記前方から視認可能であり、前記コントローラから出力される前記映像信号に基づいた映像を表示可能なディスプレイと、前記コントローラから出力される前記音声信号に基づいた音声を出力可能な第１スピーカ及び第２スピーカと、を有し、前記第１スピーカは、前記左側面部に前記左方を向くように設けられ、前記第２スピーカは、前記右側面部に前記右方を向くように設けられ、前記ディスプレイの後方であって、前記第１スピーカと前記第２スピーカとの間には、電源として使用可能な電池パックを収容可能な収容部が設けられ、前記電池パックは、電動工具の電源として用いることが可能であることを特徴とするテレビを提供する。
上記構成において、前記収容部は、前記電池パックを収容した状態で、前記コントローラを遠隔操作可能な遠隔操作装置をさらに収容可能であることが好ましい。
上記課題を解決するために、本発明はさらに、左右方向に延びる機器本体と、前記機器本体の上方に設けられた把持部と、を備え、前記機器本体は、前記機器本体の前方から視認可能な前面部と、前記機器本体の左方から視認可能な左側面部と、前記機器本体の右方から視認可能な右側面部と、を有し、前記左右方向に延びるハウジングと、前記ハウジング内に収容され、映像信号及び音声信号を出力可能なコントローラと、前記前面部に支持されるとともに前記機器本体の前記前方から視認可能であり、前記コントローラから出力される前記映像信号に基づいた映像を表示可能なディスプレイと、前記コントローラから出力される前記音声信号に基づいた音声を出力可能な第１スピーカ及び第２スピーカと、を有し、前記第１スピーカは、前記左側面部に前記左方を向くように設けられ、前記第２スピーカは、前記右側面部に前記右方を向くように設けられ、前記ディスプレイの後方であって、前記第１スピーカと前記第２スピーカとの間には、電源として使用可能な電池パックを収容可能な収容部が設けられ、前記収容部は、前記電池パックを収容した状態で、前記コントローラを遠隔操作可能な遠隔操作装置をさらに収容可能であり、前記電池パックは、電動工具の電源として用いることが可能であることを特徴とするテレビを提供する。
上記構成において、前記ディスプレイの画面サイズは、６乃至１２インチであり、前記第１スピーカ及び前記第２スピーカのそれぞれの最大入力は、５乃至２０Ｗ、又は、最大出力音圧は、５０乃至１２０ｄｂであることが好ましい。
上記構成において、前記第１スピーカは前記音声を左方向に出力するように配置され、前記第２スピーカは前記音声を右方向に出力するように配置されていることが好ましい。
上記構成において、前記ハウジングは、開口が形成され前記前面部の後方に位置する後面部をさらに有し、前記機器本体は、前記後面部に設けられるとともに前記開口を閉じる閉姿勢と前記開口を開放する開姿勢との間で開閉可能な開口カバーと、を有し、前記収容部は、前記開口が開放されている場合に前記開口を介して前記ハウジングの外部に露出されることが好ましい。
上記構成において、前記収容部は、前記電池パックを収容した状態で前記電池パックと電気的に接続可能な電源接続部を有し、前記コントローラは、前記電源接続部と電気的に接続されていることが好ましい。
上記構成において、前記機器本体は、外部機器と接続可能な外部接続端子をさらに有することが好ましい。
上記構成において、前記機器本体は、前記外部接続端子を覆う閉姿勢と前記外部接続端子を露出させる開姿勢との間で開閉可能な端子カバーと、前記端子カバーが前記閉姿勢に向けて姿勢変化するように前記端子カバーを付勢する付勢部材と、をさらに有することが好ましい。
上記構成において、前記端子カバーと前記機器本体との間にはシール部材が設けられていることが好ましい。
上記構成において、前記機器本体は、前記前面部における前記ディスプレイの上方に設けられ手動操作を受け付ける操作部をさらに有することが好ましい。
上記構成において、前記コントローラは、ラジオ放送波を受信可能なラジオ放送受信回路と、テレビ放送波を受信可能なテレビ放送受信回路と、を有することが好ましい。
上記構成において、前記コントローラは、選局されたラジオ放送局のラジオ放送に応じた音声信号を出力可能、且つ、選局されたテレビ放送局のテレビ放送に応じた映像信号及び音声信号を出力可能に構成されていることが好ましい。
上記構成において、前記コントローラは、前記選局されたラジオ放送局の周波数を示す画面を前記ディスプレイに表示させることが可能に構成されていることが好ましい。
【手続補正３】
【補正対象書類名】明細書
【補正対象項目名】発明の名称
【補正方法】変更
【補正の内容】
【発明の名称】テレビ